(57)【要約】【課題】  自然光のない暗所などでも幅広く使用でき、かつ、簡単な構成で効率よく消臭することができ、小型軽量でローコストな消臭製品を提供する。【解決手段】  消臭用品１０の筺体１１内には、板状の消臭体２０と、ファン１７、発光ダイオード１４とを備えている。消臭体２０は、水平面から傾斜して取り付けられる。ファン１７は、こうして水平面に対して傾斜して取り付けられた消臭体２０に向けて、吸気口１２から取り入れた空気を吹き付ける。【選択図】        図２
2006271636.tif 000002
【特許請求の範囲】
【請求項１】
一次粒子径が０．００１〜０．３μｍの範囲内の光触媒微粒子を０．０１〜７０重量％の割合でアルミノ珪酸塩からなる粒子内に含有させた光触媒微粒子含有アルミノ珪酸塩粒子と、前記光触媒微粒子含有アルミノ珪酸塩粒子に光を照射する発光ダイオードとを備えたことを特徴とする消臭用品。
【請求項２】
前記光触媒微粒子含有アルミノ珪酸塩粒子は、紙、不織布、布、樹脂の少なくともいずれか１つを含む担持体に担持させた消臭体として用いることを特徴とする請求項１記載の消臭用品。
【請求項３】
前記消臭体に向けて送風するファンをさらに備えたことを特徴とする請求項２に記載の消臭用品。
【請求項４】
前記消臭体は板状に形成され、前記ファンは前記消臭体の前記光触媒微粒子含有アルミノ珪酸塩粒子が露出した面に対して０°〜４５°の範囲内で送風された空気が当たるように配置されたことを特徴とする請求項３に記載の消臭用品。
【請求項５】
前記発光ダイオードは、波長が３６０〜４００ｎｍの範囲の光を照射することを特徴とする請求項２ないし４のいずれか１項に記載の消臭用品。
【発明の詳細な説明】
【技術分野】
【０００１】
本発明は、光触媒による酸化、分解作用を利用して、悪臭物質を含む空気を消臭するための消臭用品に関する。
【背景技術】
【０００２】
近年、衛生意識の高まりや気密性の高い住宅の普及によって、消費者の悪臭に対する意識は高く、かつその悪臭に対する敏感さは、ますます大きくなる傾向にある。従来、一般に知られている消臭剤としては、活性炭などの吸着剤、あるいは植物抽出物などの化学消臭剤を用いたものが挙げられる。これらは、空気中に存在する悪臭物質の量と、吸着する吸着剤の細孔数や反応量とが平衡となるまでは消臭効果を示すものの、近年問題となっている微弱な悪臭、つまり悪臭成分分子の空間中濃度が低い場合には消臭効果を発揮しないという課題があった。
【０００３】
一方、芳香剤など各種香料によるマスキング作用を用いた消臭方法があるが、使用開始から時間が経つと香りが弱まって消臭効果が低くなるという課題があった。そして、こうした芳香剤などによる消臭方法では、香料や香料を溶解する溶媒などの化学物質が住居内等に拡散し、健康への影響が懸念されるなど課題がある。
【０００４】
こうした、吸着剤や化学消臭剤、あるいはマスキング作用による芳香剤などを用いた消臭方法の課題に対応するために、光触媒による悪臭成分の酸化分解反応を消臭用品に用いることが、近年行われるようになってきた。こうした光触媒は、光を照射すれば繰り返し酸化分解反応が可能なため、消臭効果の持続性を保てるというという優れた特徴がある。
【０００５】
光触媒による酸化分解反応には、一般に紫外線の照射が必要であり、自然光に含まれる紫外線を利用できる窓際や自動車内など、日中の自然光を取り入れられる場所に使用が限られてしまうという課題があった。このため、自然光を取り入れられない暗所や夜間などにも光触媒による消臭効果を発揮させる手段として、例えば、紫外線ランプやＬＥＤなどの紫外線源を消臭用品に内蔵させ、消臭場所を限定せずに幅広く使用しようとする試みが図られている（特許文献１、２参照）。
【特許文献１】特開２００３−４２４８９号公報
【特許文献２】特開２００３−２５４５８９号公報
【発明の開示】
【発明が解決しようとする課題】
【０００６】
紫外線源を内蔵させた形態で光触媒を反応させるには、紫外線源からの光を光触媒に効果的に照射することが重要である。その方策として、上述した特許文献１に記載の発明では、消臭効率を向上させるために、紫外線ランプに対向して光触媒フィルターを回転可能に設置している。しかしながら、こうした光触媒フィルターを回転させるためには、回転機構などが必要になり、消費電力の増大と構造の複雑化、大型化を招き、高価で大きなものとなってしまう。一方、特許文献２に記載の発明では、光源として複数のランプを用い、且つそれを順次点灯させるものであり、複数のランプを設置するための大きさと、それらランプの点滅制御のための制御回路が必要となり、やはり高価で大きなものとなってしまう。
【０００７】
本発明は、上記事情に鑑みてなされたものであって、自然光のない暗所などでも幅広く使用でき、かつ、簡単な構成で効率よく消臭することができ、小型軽量でローコストな消臭製品を提供することを目的とする。
【課題を解決するための手段】
【０００８】
上記の目的を達成するために、本発明によれば、一次粒子径が０．００１〜０．３μｍの範囲内の光触媒微粒子を０．０１〜７０重量％の割合でアルミノ珪酸塩からなる粒子内に含有させた光触媒微粒子含有アルミノ珪酸塩粒子と、前記光触媒微粒子含有アルミノ珪酸塩粒子に光を照射する発光ダイオードとを備えたことを特徴とする消臭用品が提供される。
【０００９】
前記光触媒微粒子含有アルミノ珪酸塩粒子は、紙、不織布、布、樹脂の少なくともいずれか１つを含む担持体に担持させた消臭体として用いればよい。また、前記消臭体に向けて送風するファンをさらに備えていればよい。
【００１０】
前記消臭体は板状に形成され、前記ファンは前記消臭体の前記光触媒微粒子含有アルミノ珪酸塩粒子が露出した面に対して０°〜４５°の範囲内で送風された空気が当たるように配置されていればよい。また、前記発光ダイオードは、波長が３６０〜４００ｎｍの範囲の光を照射すればよい。
【発明の効果】
【００１１】
本発明の消臭用品によれば、光触媒微粒子含有アルミノ珪酸塩粒子による悪臭物質の吸着酸化、分解作用によって、悪臭成分が酸化、分解され、消臭される。そして、こうした光触媒微粒子含有アルミノ珪酸塩粒子は、発光ダイオードから照射される紫外光によって、常に悪臭物質の酸化、分解作用が維持され、悪臭物質を確実に酸化、分解させることができるように保たれる。
【００１２】
こうした発光ダイオードの点灯は、光触媒層の酸化、分解作用が維持される程度に制限して点灯されればよく、制御回路によって、点灯時間を制限したり、点滅させたりすることによって、光触媒層の酸化、分解作用を維持しつつ、電源の節約を図ることができる。
【００１３】
そして、本発明の消臭用品は、光触媒微粒子含有アルミノ珪酸塩粒子を含む消臭体と小型のファン、および発光ダイオードと乾電池などの電源から構成されるので、小型、軽量でローコストに製造することが可能であり、屋内のタンスやテーブルなどに、インテリア性を備えて配置し、室内の消臭を行うことが可能になる。
【発明を実施するための最良の形態】
【００１４】
以下、本発明の実施の形態について、図面を交えて説明する。図１は、本発明の一実施形態である消臭用品の断面構成図である。消臭用品１０は、例えば、机上やタンスなどに設置して消臭を行う電池式の軽量でコンパクトな形状に形成される。消臭用品１０は、外面が略台形の筺体１１に覆われる。この筺体１１の前面には吸気口１２が、また後部上面には排気口１３がそれぞれ形成されている。筺体１１は、例えば厚紙や樹脂板を折り曲げ形成したものであればよく、設置場所の雰囲気などに合わせて各種デザインを施したものを取替え可能な構成にしてもよい。
【００１５】
図２は、図１に示す消臭用品の側面断面図である。消臭用品１０の筺体１１内には、板状の消臭体２０と、ファン１７、発光ダイオード１４とを備えている。消臭体２０は、水平面から傾斜して取り付けられる。消臭体２０の取り付け角度は、例えば水平面に対して  ０°〜４５°の範囲で傾斜するようにすればよい。ファン１７は、こうして水平面に対して傾斜して取り付けられた消臭体２０に向けて、吸気口１２から取り入れた空気を吹き付ける。ファン１７は、図示したプロペラ式ファン以外にも、シロッコファン（円筒形ファン）なども採用できる。
【００１６】
発光ダイオード１４は、例えば波長が３６０〜４００ｎｍの紫外線波長域の光を照射する紫外線発光ダイオードが好ましく採用される。発光ダイオード１４は、消臭体２０の前面全体に紫外光が照射されるように、消臭体２０から適宜離して形成される。なお、発光ダイオード１４の発光面には、紫外光の照射角度を調節するためのレンズ等が更に設けられていてもよい。
【００１７】
筺体１１の下部には、発光ダイオード１４やファン１７を動作させるための電源１５が備えられている。こうした電源１５は、例えば乾電池が採用されるが、乾電池以外にも、例えばＡＣアダプターなど各種電源が用いられてもよい。また、電源１５と発光ダイオード１４との間には、発光ダイオード１４の発光時間や発光のタイミングを制御する制御回路１６が接続されている。
【００１８】
図３に示すように、消臭体２０は、光触媒微粒子含有アルミノ珪酸塩粒子層（以下、光触媒層と称する）１８と、この光触媒層１８を担持する担持体１９とから構成されている。担持体１９は、例えば、紙、不織布、布、樹脂の少なくともいずれか１つを含むものから形成されればよい。こうした担持体１９の一面に、光触媒微粒子含有アルミノ珪酸塩粒子を塗布、浸透、あるいは積層することで板状の消臭体２０が形成される。
【００１９】
光触媒微粒子含有アルミノ珪酸塩粒子は、アルミノ珪酸塩が鎖状、網状等の構造を有していても構わないが、層状構造を有し、この層状構造の層間に光触媒微粒子が担持されていることが好ましい。具体的には、前記アルミノ珪酸塩は、好ましくは、いわゆるフィロ珪酸塩構造を有する層状アルミノ珪酸塩（アルミニウム含有フィロ珪酸塩）であり、さらに好ましくは、フィロ珪酸塩構造を有する層に八面体構造金属酸化物層が積層して構成された複合化アルミノ珪酸塩（アルミニウム含有複合フィロ珪酸塩）である。
【００２０】
このアルミニウム含有複合フィロ珪酸塩は、基本的には、ＳｉＯ４を基本とする四面体構造層と、ＭＯ６（Ｍは亜鉛、銅、銀、コバルト、ニッケル、鉄、チタン、バリウム、スズおよびジルコニウムから選ばれる少なくとも一種の金属：以下同じ）を基本とする八面体構造層とが、酸素原子を共有する形で積層した粘土鉱物型の二層構造を有している。なお、このアルミニウム含有複合フィロ珪酸塩においては、通常、四面体構造層ＳｉＯ４の一部のＳｉがＡｌにより置換され、八面体構造層ＭＯ６の一部のＡｌにより置換されて構成されている。アルミノ珪酸塩が層状構造を有する場合には、光触媒微粒子が、層状アルミノ珪酸塩が積層して形成される層間に安定して担持され得る。
【００２１】
また、前記光触媒微粒子含有アルミノ珪酸塩粒子においては、アルミノ珪酸塩がモル％で表示して本質的に、ＳｉＯ２：５〜８０％、ＭＯｎ／２：５〜６５％（Ｍは前記と同じ）及びＡｌ２Ｏ３：１〜６０％の組成を含有することが好ましく、ＳｉＯ２：１０〜７０％、ＭＯｎ／２：１０〜６０％及びＡｌ２Ｏ３：１〜５０％の組成を有することがさらに好ましい。なお、Ｍは、前記した通り、亜鉛、銅、銀、コバルト、ニッケル、鉄、チタン、バリウム、スズおよびジルコニウムから選ばれる少なくとも一種の金属であるが、これらの中でも亜鉛が好ましい。
【００２２】
また、アルミノ珪酸塩は白色ないし単色の粉体として得られ、上記組成物比に相当する量の水溶性珪酸塩、水溶性金属塩、更に水溶性アルミニウム塩及び／又は水溶性アルミン酸塩を水の存在下に反応させ、必要により得られる沈殿の水の存在下に加熱することにより製造される。その粉体の粒子径は０．０１〜３０μｍ、好ましくは、０．０３〜１０μｍ、更に好ましくは０．０５〜５μｍである。粉体の粒子径が０．０１μｍ未満の場合は、細かすぎるため粉体を取り扱う際、実用上のハンドリング性に問題がある。逆に３０μｍを超えると、フィルムや塗料に加工した際、外観を損なう（ブツの発生）ことになる。
【００２３】
光触媒微粒子を構成する光触媒としては、Ｓｅ、Ｇｅ、Ｓｉ、Ｔｉ、Ｚｎ、Ｃｕ、Ａｌ、Ｓｎ、Ｇａ、Ｉｎ、Ｐ、Ａｓ、Ｓｂ、Ｃ、Ｃｄ、Ｓ、Ｔｅ、Ｎｉ、Ｆｅ、Ｃｏ、Ａｇ、Ｍｏ、Ｓｒ、Ｗ、Ｃｒ、Ｂａ、Ｐｂ等の酸化物などの化合物で水に不溶なものが挙げられる。光触媒は、触媒活性の程度から、酸化チタン、酸化亜鉛および酸化タングステンから選ばれる少なくとも１種からなることが好ましい。
【００２４】
光触媒微粒子の一次粒子径は０．００１〜０．３μｍの範囲にあり、好ましくは０．００３〜０．２μｍの範囲である。光触媒微粒子の一次粒子径が０．３μｍを超えると、光触媒の機能が発揮されない。光触媒は、紫外線照射によりその表面で電子と正孔とが分離し、この正孔が周囲の水、酸素等から強力な酸化作用を有する活性酸素を生成させる。そして、この活性酸素が悪臭などの有機物を酸化分解する。
【００２５】
本発明で用いる光触媒微粒子含有アルミノ珪酸塩粒子は、例えば、アルミノ珪酸塩と水からなる懸濁液から製造することができる。また、必要に応じて、さらに界面活性剤を用いてもよい。前記懸濁液中の３成分の混合比は、水：アルミノ珪酸塩＝１００：１〜１：３であることが好ましく（さらに好ましくは水：アルミノ珪酸塩＝１００：１〜１：１）、アルミノ珪酸塩：界面活性剤＝１００：０〜１：１０であることが好ましい（さらに好ましくは、アルミノ珪酸塩：界面活性剤＝１００：０〜１：３）。また、懸濁液のｐＨは、特に制限はないが、必要によっては、効率よく担持させるためにアンモニア水や塩酸等によってｐＨを調整しても構わない。
【００２６】
この懸濁液を攪拌しながら光触媒微粒子が添加される。添加する光触媒微粒子の状態は、微粉状であってもスラリー状であってもよい。光触媒微粒子の添加量は、得られる光触媒微粒子含有アルミノ珪酸塩粒子における光触媒微粒子含有率で０．０１〜７０重量％、好ましくは０．０２〜５０重量％、さらに好ましくは０．１〜５０重量％、特に好ましくは０．２〜３０重量％に相当する量である。光触媒微粒子含有率が０．０１重量％未満であると、光触媒本来の性能が充分に発現されない。一方、７０重量％越となると、光触媒の性能は発現されるが、アルミノ珪酸塩中に含有されない光触媒も生じ、樹脂などと複合化し、紫外線を照射した際にその樹脂などを劣化させるおそれが生じる。
【００２７】
懸濁液と、微粉状、スラリー状等の形態を有する光触媒微粒子との混合は、一般には、常温、常圧の条件で行われるが、必要に応じて、加圧下や減圧下、または加熱下や冷却下で実施してもよい。混合時間には特に制限はないが、３０分程度で充分である。このようにして得られる光触媒微粒子含有アルミノ珪酸塩は、遠心分離や濾過等の固体分離操作によって分離、回収することができる。回収された光触媒微粒子含有アルミノ珪酸塩は、そのまま乾燥して製品とすることができるし、また、水やアルコール等の洗浄液で１回から数回洗浄した後、乾燥処理や加熱処理を実施してから製品とすることもできる。
【００２８】
また、界面活性剤については、上記したように、光触媒を含有させる際に使用しても使用しなくてもどちらでも良いが、効率良く含有させるためには界面活性剤がある方が良い。この場合に用い得る界面活性剤は、カチオン界面活性剤、アニオン界面活性剤、ノニオン界面活性剤、両性界面活性剤、特に制限はないが、カチオン界面活性剤が好ましく、下記「化１」の一般式で示されるカチオン界面活性剤がさらに好ましい。
【００２９】
【化１】
2006271636.tif 000003
【００３０】
ただし、化１中、Ｘ−はハロゲン化物イオン、水酸化物イオン、または有機酸陰イオンであり、Ｒ１は、炭素数８〜２２の直鎖状もしくは分岐鎖状の飽和または不飽和脂肪族炭化水素基であり、Ｒ２、Ｒ３およびＲ４は、それぞれ、Ｒ１、メチル基、エチル基または下記「化２」の一般式で示される有機基である。なお、Ｒ２〜Ｒ４は、それぞれの基が同一であっても異なっていてもよい。
【００３１】
【化２】
2006271636.tif 000004
【００３２】
ただし、式中、ｍは１〜５の整数であり、Ｙは水素またはメチル基である。用い得る界面活性剤として、さらに具体的には、ラウリルトリメチルアンモニウムクロライド、ミリストイルトリメチルアンモニウムクロライド、パルミチルトリメチルアンモニウムクロライド、ステアリルトリメチルアンモニウムクロライド、オレイルトリメチルアンモニウムクロライド、エルシルトリメチルアンモニウムクロライド、ポリオキシエチレンミリストイルアンモニウムクロライド、ポリオキシエチレンパルミチルアンモニウムクロライド、ポリオキシエチレンオレイルアンモニウムクロライド、ポリオキシエチレンステアリルアンモニウムクロライド等が挙げられる。これらの界面活性剤は２種以上混合して用いてもよく、水溶液またはアルコール溶液として用いても良い。
【００３３】
光触媒含有高分子固体は、前記本発明の光触媒微粒子含有アルミノ珪酸塩粒子を、樹脂、繊維、紙、不織布、塗膜（塗料）等の高分子固体中に含ませることにより構成される。これらの中でも、本発明の光触媒微粒子含有アルミノ珪酸塩粒子は、樹脂フィルムなどの樹脂、不織布、紙、塗料に含ませることが好ましい。
【００３４】
樹脂に光触媒微粒子含有アルミノ珪酸塩粒子を含有させる場合、樹脂としては、例えば、ポリスチレン樹脂、ポリプロピレン樹脂、ポリエチレン樹脂、アクリル樹脂、ＡＢＳ樹脂、ＡＳ樹脂、ＭＳ樹脂、ポリカーボネート樹脂、ポリエチレンテレフタレート樹脂等が挙げられる。光触媒微粒子含有アルミノ珪酸塩粒子の添加量としては、樹脂に対して０．１〜３０重量％の範囲で添加することが好ましく、さらに好ましくは１〜２５重量％の範囲である。樹脂に光触媒微粒子含有アルミノ珪酸塩粒子を含有させる方法としては、例えば、樹脂フィルムの場合には、次のような方法によって作製することができるが、この方法に限定されるものではない。その方法とは、まず、樹脂と光触媒微粒子含有アルミノ珪酸塩粒子とを混合し、２軸同方向押出機などを用いて混練し、コンパウンドを作製する。次に、インフレーション装置などを用いてこのコンパウンドを適当な厚さを持つフィルムとする。
【００３５】
不織布に光触媒微粒子含有アルミノ珪酸塩粒子を含有させる場合、不織布としては、例えば、レーヨン、ポリプロピレン、ナイロン、ポリエステル等からなる不織布が挙げられる。また、不織布に光触媒微粒子含有アルミノ珪酸塩粒子を含有させる際に用いるバインダーとしては、特に限定されるものではないが、アクリル系、ラテックス系のバインダーが用いられる。不織布に光触媒微粒子含有アルミノ珪酸塩粒子を含有させる方法としては、光触媒微粒子含有アルミノ珪酸塩粒子とバインダーと水とからなる塗布剤に不織布を浸漬する方法が挙げられる。この際に、塗布剤のバインダーと光触媒微粒子含有アルミノ珪酸塩粒子とを含む固形分中には、光触媒微粒子含有アルミノ珪酸塩粒子が３〜９０重量％であることが好ましい。
【００３６】
紙に光触媒微粒子含有アルミノ珪酸塩粒子を含有させる場合、紙としては、例えば、綿、リンター、竹、バガス、葦、わら、こうぞ、針葉樹、広葉樹等から得られた繊維などが挙げられる。紙に光触媒微粒子含有アルミノ珪酸塩粒子を含有させる方法としては、例えば、次のような方法が挙げられる。その方法とは、まず、水にパルプと光触媒微粒子含有アルミノ珪酸塩粒子とを混合する。この時、光触媒微粒子含有アルミノ珪酸塩粒子の割合は、紙に対して１〜４０重量％であることが好ましい。次に、この混合スラリーをスクリーン抄紙機を用いて抄紙し、その後ドラム乾燥機を用いて乾燥させる。
【００３７】
発光ダイオード（ＬＥＤ）１４は、光触媒を活性化させる光源として用いる。ＬＥＤとしては、短波長の光を発光するものが好ましく、３６０〜４００ｎｍに最大発光波長をもったものが更に好ましい。具体的には、紫色ＬＥＤ、青色ＬＥＤ、紫外線ＬＥＤなどが挙げられ、紫外線量とコストとのバランスから、紫色ＬＥＤが特に好ましい。消臭体は、アルミノ珪酸塩、活性炭などに代表される多孔質で悪臭成分分子を吸着する機構をもつ物質、および酸化チタン、酸化亜鉛、酸化タングステンなどに代表される光触媒能によって悪臭成分分子を分解する機構をもつ物質の両方の機構を有することが必要である。
【００３８】
光触媒微粒子含有アルミノ珪酸塩粒子のような多孔質の吸着体と光触媒を紙、不織布、布、樹脂のいずれかに担持させた形態のものを消臭体として用いた光触媒微粒子含有アルミノ珪酸塩粒子に対する発光ダイオード１４との設置は、筐体１１内に光触媒と発光ダイオード１４とを対向して配置した際の、光触媒表面と発光ダイオード１４の先端との間の直線距離である。容器に充填した光触媒粉体の場合であれば、容器開口部で気相と接触している表面部分と、対向するＬＥＤ先端との間の距離であり、紙、不織布等に担持させた形態の場合であれば、紙、不織布等のＬＥＤ側の表面部分と、対向するＬＥＤ先端との間の距離である。
【００３９】
ファン１７は、電気的に作動するモーターに取り付けたファンの回転で、悪臭を消臭用品の設置した場所へ吸引するものである。消臭用品の吸引口より悪臭を導入し、用品内部の消臭体に強制的に接触させることで、室内の自然対流だけで悪臭が接触するよりも、更に効果的に消臭が行える。モーターは、乾電池、家庭用交流電源、太陽電池、自動車内バッテリーなど、何れの電源によって作動させるものでも良く、ファンとしては、プロペラファン、シロッコファンなどが挙げられる。単位電力当たりの風量の点からプロペラファンが好ましく、製品形態の排気部の構造が送風の妨げとなり外圧が発生する場合には、外圧の影響を受け難いシロッコファンが好ましい。
【００４０】
以上のような構成の消臭用品１０は、ファン１７の回転によって吸気口１２から悪臭物質を含んだ空気が取り入れられると、傾斜して取り付けられた消臭体２０の光触媒層１８に当たり、光触媒層１８の表面に沿って流れる。この時、光触媒層１８を構成する光触媒微粒子含有アルミノ珪酸塩粒子による悪臭物質の酸化、分解作用によって、悪臭成分が酸化、分解され、消臭された空気が排気口１３から排出される。そして、光触媒層１８は、発光ダイオード１４から照射される紫外光によって、常に悪臭物質の酸化、分解作用が維持され、悪臭物質を確実に酸化、分解させることができるように保たれる。
【００４１】
なお、こうした発光ダイオード１４の点灯またはファン１７の回転は、光触媒層１８の酸化、分解作用が維持される程度に制限して点灯、回転されればよく、制御回路１６によって、点灯時間を制限したり、点滅させたり、また回転時間を制限したりすることによって、光触媒層１８の酸化、分解作用を維持しつつ、電源１５の節約を図ることができる。
【００４２】
そして、本発明の消臭用品は、板状の消臭体２０と小型のファン１７、および発光ダイオード１４と乾電池などの電源１５から構成されるので、小型、軽量でローコストに製造することが可能であり、屋内のタンスやテーブルなどに、インテリア性を備えて配置し、室内の消臭を行うことが可能になる。
【実施例】
【００４３】
（検証例１）
本出願人は、本発明の消臭用品の消臭効果を検証した。消臭のための光触媒として、酸化チタン粒子（アナタース型酸化チタン、石原産業製ＳＴ−０１）、または光触媒複合基剤（酸化チタン／多孔質ケイ酸塩複合品、ライオン株式会社製ライオナイトＰＣ−３０１Ｐ）０．５ｇを、気相接触面積１１．３ｃｍ２ の容器に分取して消臭用品を得て、前記消臭用品を１．８Ｌガラス瓶の中に入れた。前記ガラス瓶のキャップの中央部および中央部から周辺部に至る中問部に直径４ｍｍの穴を開けて、中央部から周辺部に至る中間部に開けた穴には悪臭ガス添加用兼検知管差込用パッキン（ジーエルサイエンス製「島津注入口パッキン標準型」）を取り付けて、中央部に開けた穴には紫色ＬＥＤ（ＳＡＮＤＥＲ製  ＳＤＬ−５Ｎ３ＣＵＶ−Ａ  φ５ｍｍ）と接続した電気コードを通し、紫色ＬＥＤに接続された電気コードを４７Ω固定抵抗及び電池ボックス（単３アルカリ乾電池３本を直列接続で内蔵）に接続した。さらに、電気コードに接続された紫色ＬＥＤの発光面と前記消臭体の表面との間の距離を表１および表２に示した距離となる位置に設定し、電気コードとキャップとの隙間をシリコーンポリマー充てん材(コニシ株式会社製バスボンド水まわり用)にて、さらにキャッブと１．８Ｌガラス瓶との隙問をビニルテープ（幅１９ｍｍ）にてそれぞれ塞ぎ、図４に示す消臭用品充填検証用装置を得た。
【００４４】
検証にあたって、前記消臭用品充填検証用装置を用意し、ガラス瓶内に悪臭物質となるナトリウムメチルスルフィド（試薬、純正化学製）の３％水溶液をマイクロシリンジにて１５μＬ採取し、前記悪臭ガス添加用兼検知管差込用パッキンより添加した。１０分放置後、前記電池ボックスのスイッチを入れて通電し、２４時問経過後に、前記ガラス瓶内のメチルメルカプタン残存量をガス検知管（ガステック製Ｎｏ．７１）にて測定した。別途、前記消臭用品充填検証用装置から消臭用品を除いた条件の装置も用意し、同様に測定を行った。こうした検証結果として、表１に実施例（本発明例）を、表２に比較例（従来例）をそれぞれ示す。
【００４５】
【表１】
2006271636.tif 000005
【００４６】
【表２】
2006271636.tif 000006
【００４７】
これらの検証結果によれば、表１に示す実施例（本発明例）の消臭用品では、２４時間経過後のガラス瓶内のメチルメルカプタン残存量は、いずれも１０ｐｐｍ以下、特に光触媒複合基剤（酸化チタン／多孔質ケイ酸塩複合品、ライオン株式会社製ライオナイトＰＣ３０１Ｐ）を用いたものは５ｐｐｍ以下になり、消臭効果が確認された。一方、表２に示す比較例（従来例）の消臭用品では、２４時間経過後のガラス瓶内のメチルメルカプタン残存量は１２〜２０ｐｐｍと、悪臭物質の消臭効果が低いという結果に留まった。そして、ＬＥＤと光触媒との間の距離は、０．５〜８ｃｍとするのが好適であることが判明した。
【００４８】
（検証例２）
本出願人は、さらに別な消臭用品の消臭効果を検証した。本出願人は、さらに別な消臭用晶の消臭効果を検証した。プリンタペーパー（キャノン製ＥＮ−５００  白色度約７０％）１１１部と水２０００部を離解機（熊谷理機工業株式会社製パルプ離解機）に入れ、３０００ｒｐｍにて約１５分間運転し、解裁パルプとした。この解裁パルプ４０．２ｇと、前記検証例１で用いた光触媒複合基剤５ｇ、水５００ｇを混合、超音波洗浄器（株式会社エスエヌデイ製ＵＳ−３）にて振動を１０分問加えて均一に分散させた後、抄紙機（熊谷理機工業株式会社製ＴＡＰＰＩ標準消臭抄紙機）にて直径１６ｃｍの円形に抄紙し、これを室温下で１日乾燥させ、光触媒担持紙を作成した。こうして形成した光触媒担持紙を一辺５ｃｍの正方形に裁断して光触媒担持紙消臭体を得た。検証にあたって、前記ガラス瓶のキャップの中央部およぴ中央部から周辺部に至る中間部に直径４ｍｍの穴を開けて、中央部に開けた穴には前記紫色ＬＥＤと接続した電気コードを通し、中央部から周辺部に至る中問部に開けた穴には前記悪臭ガス添加用兼検知管差込用パッキンを取り付けた。さらに、電気コードに接続された紫色ＬＥＤの発光面と前記消臭体の表面との間の距離を表３に示した距離となる位置に固定用ワイヤを用いて設定し、１．８Ｌガラス瓶内に入れ、電気コードとキャップとの隙問をシリコーンポリマー充てん材（コニシ株式会社製バスボンド水まわり用）にて、さらにキャップと１．８Ｌガラス瓶との隙聞をビニルテープ（幅１９ｍｍ）にてそれぞれ塞いだ。そして、前記電気コードと４７Ω固定抵抗及ぴ電池ボックス（単３アルカリ乾電池3本を直列接続で内蔵）に接続し、図５に示す光触媒担持紙消臭体検証用装置を用意した。
【００４９】
検証にあたって、前記光触媒担持紙消臭体検証用装置を用意し、ガラス瓶内に悪臭物質となるナトリウムメチルスルフィド（試薬、純正化学製）の３%水溶液をマイクロシリンジにて１５μL採取し、前記悪臭ガス添加用兼検知管差込用パッキンにより添加した。１０分放置後、前記電池ボックスのスイッチを入れて通電し、２４時間経過後に、前記ガラス瓶内のメチルメルカブタン残存量をガス検知管（ガステック製Ｎｏ．７１）にて測定した。別途、前記光触媒担持紙消臭体検証用装置から消臭用品を除いた条件の装置も用意し、同様に測定を行った。こうした検証結果として、表３に実施例（本発明例）及び比較例（従来例）を示す。
【００５０】
【表３】
2006271636.tif 000007
【００５１】
表３に示す検証例２の結果によれば、ＬＥＤと光触媒との間の距離を４ｃｍ以下にすることで、２４時間経過後のガラス瓶内のメチルメルカプタン残存量を１０ｐｐｍ以下に抑えられることが判明した。
【００５２】
（検証例３）
本出願人は、さらに別な消臭用品の消臭効果を検証した。検証例３では、先に説明した本発明の夷施の形態における図１に示す消臭用品１０を用いてその効果を検証した。電池ボックス（単３アルカリ乾電池３本を直列接続で内臓）に電動モーター（マブチ製  ＲＦ−３００Ｃ０９５５０）を接続し、前記電動モーターの回転軸にφ８０ｍｍの５枚羽プロペラファンを取り付け、モーター部分を１ｃｍ×２ｃｍ×高さ５ｃｍの支柱に固定した。前記電池ボックスと電動モーターの回路と並列に、４７Ω固定抵抗及ぴ紫色ＬＥＤ（ＳＡＮＤＥＲ製  ＳＤＬ−５Ｎ３ＣＵＶ−Ａ  φ５ｍｍ）と接続し、ファンから発生する風の下流側に向かって照射できるように、上記支柱に設置した。
【００５３】
このＬＥＤの照射面先端から、表４に示す距離の位置に、前記検証例２で用いたものと同じ光触媒担持紙を５ｃｍ×５ｃｍに成型したものを、照射に対向する向きに設置した。そして、これら装置を覆うポリプロピレン板のケース（筺体）を設置し、吸引側と排気側を開口させ、吸引側はプロペラに直接触れないようスリット状とし、図１に示す消臭用品１０を得た。
【００５４】
１００ｃｍ×１００ｃｍ×２５０ｃｍのボックス中に、悪臭物質となる１０％メチルメルカプタン水溶液２０μリットルを含浸させたろ紙を置き、直径１５ｃｍの小型扇風機でボックス内の空気を５分間攪拌、均一化した後、ボックス内のメチルメルカプタン量をガス検知管（ガステック製  Ｎｏ．７１）で測定し、初期濃度とした。このボックスに図１に示す前記消臭用品を設置、作動させ、４１時間後のメチルメルカプタン残存濃度をガス検知管で測定し、残存率（残存率（％）＝残存濃度／初期濃度×１００）を求めた。比較例として、ファンを作動させない場合、消臭装置を設置しない場合についても同様に試験した。こうした検証例３の検証結果を表４に示す。
【００５５】
【表４】
2006271636.tif 000008
【００５６】
表４に示す検証例３の結果によれば、ファンを用いて光触媒に向けて悪臭物資を含む空気を吹き付けることにより、悪臭を効率的に消臭できることが判明した。
【００５７】
（検証例４）
本出願人は、紫色ＬＥＤによる紫外練強度と消臭効果の関係を検証した。検証にあたって、光触媒複合基剤（酸化チタン／多孔質ケイ酸塩複合品、ライオン株式会社製ライオナイトＰＣ３０１Ｐ）０．５ｇを気相接触面積１１．３ｃｍ２ の容器に分取し、１．８Ｌのガラス瓶に入れた。この光触媒複合基剤から４ｃｍ離して紫色ＬＥＤを配置した。前記ガラス瓶のキャツプの中央部および中央部から周辺部に至る中問部に直径４ｍｍの穴を開けて、中央部から周辺部に至る中間部に開けた穴には悪臭ガス添加用兼検知管差込用パッキン（ジーエルサイエンス製「島津注入ロパッキン標準型」）を取り付けて、中央部に開けた穴には紫色ＬＥＤ（ＳＡＮＤＥＲ製  ＳＤＬ−５Ｎ３ＣＵＶ−Ａ  φ５ｍｍ）と接続した電気コードを通し、紫色ＬＥＤに接続された電気コードを安定化直流電源（菊水電子工業株式会社製  ＰＭＣ１８−２）に接続した。さらに、前記紫色ＬＥＤの発光面と紫外線強度計（東京硝子器械株式会社販売  ＣＵＳＴＯＭＵＶＡ−３６５）のセンサー面を合わせ、このとき得られる紫外線強度が１０，２０，３０，４０μＷ／ｃｍ２ となるように前記安定化直流電源の出力を調整した。そして、電気コードとキャップとの隙間をシリコーンポリマー充てん材（コニシ株式会社製バスボンド水まわり用）にて、さらにキャップと１．８Ｌガラス瓶との隙問をピニルテープ（幅１９ｍｍ）にてそれぞれ塞ぎ、図４に示す消臭用品充填検証用装置をそれぞれ得た。検証にあたって、前記消臭用品充填検証用装置を用意し、ガラス瓶内に悪臭物質となるナトリウムメチルスルフイド（試薬、純正化学製）の３％水溶液をマイクロシリンジにて１０μＬ採取し、前記悪臭ガス添加用兼検知管差込用パッキンより添加した。１０分放置後、前記安定化直流電源のスイッチを入れて紫色ＬＥＤに通電し、０〜２４時間後において、前記ガラス瓶内のメチルメルカプタン残存量をガス検知管（ガステック製Ｎｏ．７１）にて測定した。こうした検証例４の検証結果を図６に示す。
【００５８】
図６に示す検証例４の結果によれば、紫色ＬＥＤを１０μＷ／ｃｍ２以上で点灯させれば、消臭効果が得られ、消費電力を大きくするほど、消臭効果が高まることがわかった。
【００５９】
（検証例５）
本出願人は、紫色ＬＥＤを点滅させたときの消臭効果の関係を検証した。検証にあたっては、前記検証例４と同様に、光触媒複合基剤（酸化チタン／多孔質ケイ酸塩複合品、ライオン株式会祉製ライオナイトＰＣ−３０１Ｐ）０．５ｇを気相接触面積１１．３ｃｍ２ の容器に分取し、１．８Ｌのガラス瓶に入れた。この光触媒複合基剤から４ｃｍ離して紫色ＬＥＤを配置した。前記ガラス瓶のキャップの中央部および中央部から周辺部に至る中問部に直径４ｍｍの穴を開けて、中央部から周辺部に至る中間部に開けた穴には悪臭ガス添加用兼検知管差込用パッキン（ジーエルサイエンス製「島津注入ロパッキン標準型」）を取り付けて、中央部に開けた穴には紫色ＬＥＤ（ＳＡＮＤＥＲ製  ＳＤＬ−５Ｎ３ＣＵＶ−Ａ  φ５ｍｍ）と接続した電気コードを通し、紫色ＬＥＤに接続された電気コードを安定化直流電源（菊水電子工業株式会社製  ＰＭＣ１８−２）に接続した。さらに、前記紫色ＬＥＤの発光面と紫外線強度計（東京硝子器械株式会社販売  ＣＵＳＴＯＭＵＶＡ−３６５）のセンサー面を合わせ、このとき得られる紫外線強度が６０μＷ／ｃｍ２ となるように前記安定化直流電源の出力を調整した。そらに、前記安定化直流電源をタイマー（東京硝子器械株式会社製  ＦＴ−０２２）に接続した。そして、電気コードとキャップとの隙間をシリコーンポリマー充てん材（コニシ株式会社製バスボンド水まわり用)にて、さらにキャップと１．８Ｌガラス瓶との隙問をビニルテープ（幅１９ｍｍ）にてそれぞれ塞ぎ、図５に示す消臭用品充填検証用装置をそれぞれ得た。検証にあたって、前記消臭用品充填検証用装置を用意し、ガラス瓶内に悪臭物質となるナトリウムメチルスルフィド（試薬、純正化学製）の３％水溶液をマイクロシリンジにて１０μＬ採取し、前記悪臭ガス添加用兼検知管差込用パッキンより添加した。１０分放置後、前記タイマー及び安定化直流電源のスイッチを入れて、紫色ＬＥＤを点灯時問０．１秒に対して０．９，１．８，３．６秒間それぞれ消灯した場合と、連続点灯した場合とで、２４時間後のガラス瓶内のメチルメルカプタン残存量をガス検知管（ガステック製Ｎｏ．７１）にて測定した。こうした検証例５の検証結果を図７に示す。
【００６０】
図７に示す検証例５の結果によれば、紫色ＬＥＤを０．１秒点灯させて３．６秒消灯させる点滅パターンであっても、２４時間後の消臭効果は、紫色ＬＥＤを連続点灯した場合と大差ないことが判明した。これにより、紫色ＬＥＤを点滅させれば、乾電池などの消費電力を節約しつつ高い消臭効果を得られることがわかった。また、紫色ＬＥＤのトータル点灯時間を短くすることで、ＬＥＤの寿命を延ばす効果も期待できる。
【００６１】
（検証例６）
本出願人は、本発明の消臭用品の総合的な消臭効果を確認するために、図１に示す消臭用品を用いて、実際の家庭においてこれを設置して、悪臭の消臭効果の検証した。検証にあたっては、複数の家庭に図１に示す消臭用品を設置し、設置後の消臭効果を調べた。こうした検証例６の検証結果を表５に示す。
【００６２】
【表５】
2006271636.tif 000009
【００６３】
表５に示す検証例６の結果によれば、いずれの設置場所においても、消臭効果があると感じた被験者が７５％以上に達し、総合的な消臭効果においても、本発明の消臭用品の効果が確認された。
【図面の簡単な説明】
【００６４】
【図１】図１は、本発明の消臭用品の外観を示す斜視図である。
【図２】図２は、本発明の消臭用品の側面断面図である。
【図３】図３は、消臭体の構成を示す断面図である。
【図４】図４は、本発明の検証に用いた消臭用品を示す説明図である。
【図５】図５は、本発明の検証に用いた消臭用品を示す説明図である。
【図６】図６は、本発明の検証結果を示すグラフである。
【図７】図７は、本発明の検証結果を示すグラフである。
【符号の説明】
【００６５】
１０  消臭用品
１１  筺体
１２  吸気口
１３  排気口
１４  発光ダイオード
１７  ファン
１８  光触媒層（光触媒微粒子含有アルミノ珪酸塩粒子）
１９  担持体
２０  消臭体
【図１】
2006271636.tif 000010
【図２】
2006271636.tif 000011
【図３】
2006271636.tif 000012
【図４】
2006271636.tif 000013
【図５】
2006271636.tif 000014
【図６】
2006271636.tif 000015
【図７】
2006271636.tif 000016